(57)【要約】      （修正有）【課題】画像読取装置の両面同時読み取り於いて、表、裏面の照明手段の簡略化する。【解決手段】両面読み取りの照明手段を一つにする事によって、照明装置と照明回路を簡略化し消費電力を下げる。また、照明が一つになったことにより２つの光電変換手段２０，２１のシェーディング動作を短縮できる。【選択図】図１
2010200100.tif 000002
【特許請求の範囲】
【請求項１】
電子写真方式の画像形成装置の機械内部に於いて、画像読み取りに使用する被写体に光を照射する照明手段と、
前記照明手段で照らされた被写体を読み取るための複数の光電変換手段と、前記光電変換手段に最良な光を照射するために前記照明手段の動作をコントロールする光源部制御手段と、
前記複数の光電変換手段のうち一つの前記光電変換手段までに光を照らすために設けられた複数の反射ミラーと、
もう一つの前記光電変換手段までに光を照らすために設けられた別の複数の反射ミラーと、
前記被写体を移動させるための原稿移動手段を有する画像読み取り装置と、
前記複数の光電変換手段は、前記照明手段一つで同時に被写体の表、裏面画像を読み取るところの制御手段を備えることを特徴とする画像読取装置。
【請求項２】
請求項１に記載の画像読取装置において、
前記複数の光電変換手段のうち、一つの前記光電変換手段までに光を照らすために設けられた複数の反射ミラーで光源を白色基準ローラーに照射する手段と、
白紙原稿でシェーディングを行う補正手段と、
もう一つの前記光電変換手段までに光を照らすために設けられた別の複数の反射ミラーを含む前記照明手段を白色基準版まで移動させる手段と、
前記白色基準板でシェーディングを行う補正手段と、を備えることを特徴とする画像読取装置。
【発明の詳細な説明】
【技術分野】
【０００１】
本発明は、画像形成装置に設ける画像読取装置に関し、特に表、裏面画像を同時に読み取る画像読取装置であって、被写体を読み取るために必要な光を照射する照明手段に関するものである。
【背景技術】
【０００２】
従来の画像読取装置では、両面原稿を同時に読み取るための構成は提案されている。（例えば、特許文献１参照）
また、両面読みの原稿照明を一つの照明システムにし、読み取る方法も提案されている。（例えば、特許文献２または特許文献３）
【先行技術文献】
【特許文献】
【０００３】
【特許文献１】特開平１１−１４６１４９号公報
【特許文献２】特開２００５−０９４４７７号公報
【特許文献３】特開２００５−０９４４７８号公報
【発明の概要】
【発明が解決しようとする課題】
【０００４】
従来の装置では画像読取装置での表、裏面原稿の両面同時読取に必要な光量を得るためには、表、裏面にそれぞれの照明手段を配置していた。
【０００５】
このため、照明手段を制御するための制御手段も、表、裏面用にそれぞれ必要であり煩雑化していた。また、照明手段が２つあるために、それぞれの読取装置で行うシェーディングはそれぞれ独自に行う必要があり、制御方法も個別に必要とされていた。
【０００６】
一方、照明手段を１つにした画像読取装置では、被写体の原稿が透過原稿でなければならないなどの制約があった。
【０００７】
本発明は上記照明手段の問題における照明手段を１つにすることにより、照明手段の制御を簡略化し、シェーディング補正の簡略化を行い、透過原稿以外の被写体原稿の両面読取可能な画像読取装置を備えた画像形成装置を提供する。
【課題を解決するための手段】
【０００８】
上記課題を解決するために、本発明に係る画像読取装置は、
電子写真方式の画像形成装置の機械内部に於いて、画像読み取りに使用する被写体に光を照射する照明手段と、
前記照明手段で照らされた被写体を読み取るための２つの光電変換手段と、前記光電変換手段に最良な光を照射するために前記照明手段の動作をコントロールする光源部制御手段と、
前記２つの光電変換手段のうち、一つの前記光電変換手段までに光を照らすために設けられた複数の反射ミラーと、
もう一つの前記光電変換手段までに光を照らすために設けられた別の複数の反射ミラーと、
前記被写体を移動させるための原稿移動手段を有する画像読み取り装置と、
前記２つの光電変換手段は、前記照明手段一つで同時に被写体の表、裏面画像を読み取るところの制御手段を備えることを特徴とする。
【０００９】
前記画像読取装置において、前記複数の光電変換手段のうち一つの前記光電変換手段までに光を照らすために設けられた複数の反射ミラーで光源を白色基準ローラーに照射する手段と、白紙原稿でシェーディングを行う補正手段と、
もう一つの前記光電変換手段までに光を照らすために設けられた別の複数の反射ミラーを含む前記照明手段を白色基準版まで移動させる手段と、前記白色基準板でシェーディングを行う補正手段と、を備えることを特徴とする。
【発明の効果】
【００１０】
本発明では被写体に光を照射し読み取る画像読取装置における問題で、特に照明手段の問題に鑑み、被写体の表、裏面の両面同時に読み取りを行う画像読取装置の照明手段の構成を簡略化し、照明手段一つによりシェールディング調整を簡略化できる構成を備えた画像読取装置を提供する。
【図面の簡単な説明】
【００１１】
【図１】本発明における画像読取装置の断面図で、画像読み取り時の各ブロックの位置を表した図である。
【図２】本発明における画像読取装置の断面図で、ＣＩＳシェールディング時の各ブロックの位置を表した図である。
【図３】本発明における画像読取装置の断面図で、ＣＣＤシェールディング時の各ブロックの位置を表した図である。
【図４】本発明における電気制御ブロック図である。
【図５】本発明におけるイニシャル時のシェーディングフローチャートである。
【図６】本発明におけるジョブ間のシェーディングフローチャートである。
【発明を実施するための形態】
【００１２】
次に、本発明の詳細を実施例の記述に従って説明する。
【実施例１】
【００１３】
以下、本発明にかかる実施するための最良の形態を添付図面に基づいて説明する。本発明の実施するための最良の形態は、図１、図３、図４、図６に基づいて説明する。
【００１４】
図１は本発明の実施例を示す。画像形成装置に使用されている画像読取装置の機内断面図の一部である。６１の原稿が各ローラーにより均一速度で搬送される。１０の照明光源より発光された光を直接６１の原稿へ照射する。照射された光は画像光となり１１の第１反射ミラーにより反射され、次に１２の第２反射ミラー、１３の第３反射ミラーで反射される。１３の第３反射ミラーからの画像光を１９の集光レンズで２０のＣＣＤに投影される。
【００１５】
同様に１０の照明光源より発光された６１の原稿とは反対の光は、１４の第４ミラー、１５の第５ミラー、１６の第６ミラー、１７の第７ミラー、１８の第８ミラーを反して６１の原稿へ照射される。このとき照射される６１の原稿は、前記２０のＣＣＤへ投影された画像光とは裏面の画像である。１８の第８ミラーより反射された光は６１の原稿画像に照射され、反射した上記とは別の画像光を２１のＣＩＳへ投影される。
【００１６】
この反射ミラー構成により６１の原稿の両面画像を１０の照明光源一つで両面同時に読み取ることができる。
【００１７】
図２は本発明における２１ＣＩＳの初期値のシェーディングを行う実施例を示す。１０の照明光源より発光された光は、画像読み込み時同様に１４から１８の第４から第８ミラーの光路を経て５２シェーディングローラーへ照射され、反射された画像光を２１のＣＩＳで読み込み、シェーディング（光量のバランスを一定に調整する）を行う。
【００１８】
図３は本発明における１９のＣＣＤの初期値のシェーディングを行う実施例を示す。１０の照明光源と１１の第１ミラーを一点破線の位置から、５０のシェーディング板の位置（実践部）まで移動させる。移動後１０の照明光源よりシェーディング板へ光を照射し、１１から１３の第１から第３ミラーを反して、１９の集光レンズで２０のＣＣＤに投影された画像光でシェーディングを行う。
【００１９】
図５は本発明における初期値のシェーディングのフローチャートを示し、上記の一連の２１のＣＩＳと２０のＣＣＤにおける動作を表したもので、初期値の２１のＣＩＳの次に２０のＣＣＤのシェーディングを行う。
【００２０】
図６は本発明におけるジョブ間のシェーディングのフローチャートを示す。ジョブ間においては２０のＣＣＤのシェーディングを行う。シェーディング方法は上記に示した、図２の方法を行い、２１のＣＩＳの実際のシェーディング動作は行わない。図５のＣＰＵにて光量バランスデータを初期値と比較を行う。比較したデータの変化量をもとに２１ＣＩＳの光量バランスの補正を行う。これは照明光源が一つのため、照明光源の光量の時系列変化量は２０ＣＣＤでも２１ＣＩＳでも同量変化量になるためである。
【００２１】
このように２つの光電変換素子（ＣＩＳ，ＣＣＤ）と照明光源を１つにすることにより、各光電変換素子の光量バランスの一定補正（シェーディング）を簡略化することができる。
【００２２】
なお、図４は、本発明における電気制御ブロック図である。
【符号の説明】
【００２３】
１０  照明光源
１１  第１ミラー
１２  第２ミラー
１３  第３ミラー
１４  第４ミラー
１５  第５ミラー
１６  第６ミラー
１７  第７ミラー
１８  第８ミラー
１９  集光レンズ
２０  ＣＣＤ
２１  ＣＩＳ
５０  シェーディング板
５２  シェーディングローラー
６１  原稿
【図１】
2010200100.tif 000003
【図２】
2010200100.tif 000004
【図３】
2010200100.tif 000005
【図４】
2010200100.tif 000006
【図５】
2010200100.tif 000007
【図６】
2010200100.tif 000008